(57)【要約】【課題】  既存の照明器具のソケットに装着され、ソケットに対して正常な取り付け位置に容易に装着させることができると共に、装着後の回転を防止することが可能な直管形ＬＥＤランプを提供する。【解決手段】  ＬＥＤモジュールが内部に収容された円筒状の外郭１１と、外郭１１の端部に取り付けられ、外郭１１の軸線と直交する端面を有する円筒状の口金１２と、口金１２の端面に取り付けられ、ＬＥＤモジュールと電気的に接続された給電ピン１６と、口金１２の外周面から延在し、ソケット５に形成された給電ピン１６が挿入される挿入部９に嵌合するツメ部１９と、を備える。【選択図】  図６
2016173881.tif 000002
【特許請求の範囲】
【請求項１】
照明器具のソケットに装着される直管形ＬＥＤランプであって、
ＬＥＤモジュールが内部に収容された円筒状の外郭と、
前記外郭の端部に取り付けられ、前記外郭の軸線と直交する端面を有する円筒状の口金と、
前記口金の前記端面に取り付けられ、前記ＬＥＤモジュールと電気的に接続された給電ピンと、
前記口金の外周面から延在し、前記ソケットに形成された前記給電ピンが挿入される挿入部に嵌合するツメ部と、
を備えた直管形ＬＥＤランプ。
【請求項２】
前記外郭は、前記ＬＥＤモジュールから放射された光が透過する発光面を有し、
前記ツメ部は、前記口金の外周の前記発光面側となる部分から延在していることを特徴とする請求項１に記載の直管形ＬＥＤランプ。
【請求項３】
前記ツメ部は、先端部に前記挿入部に嵌合する凸部を有し、基端部を支点として前記外郭の軸線と直交する方向に弾性変形可能であることを特徴とする請求項１又は請求項２に記載の直管形ＬＥＤランプ。
【請求項４】
前記ツメ部の前記基端部の両側にスリットが形成されていることを特徴とする請求項３に記載の直管形ＬＥＤランプ。
【請求項５】
前記ツメ部は、前記挿入部との嵌合を解除するための解除部を有することを特徴とする請求項１〜４のいずれかに記載の直管形ＬＥＤランプ。
【請求項６】
請求項１〜５のいずれかに記載の直管形ＬＥＤランプと、
前記直管形ＬＥＤランプが装着されるソケットを有する器具本体と、
前記ソケットに接続され、前記直管形ＬＥＤランプに電力を供給する電源装置と、
を備えた照明器具。
【発明の詳細な説明】
【技術分野】
【０００１】
本発明は、照明器具のソケットに装着される直管形ＬＥＤランプに関し、特に装着後の回転を防止する機能を有する直管形ＬＥＤランプ及びそれを備えた照明器具に関する。
【背景技術】
【０００２】
昨今、直管形蛍光ランプの代替として、光源にＬＥＤを用いた直管形ＬＥＤランプが発売されている。中でも直管形蛍光ランプと同様に、照明器具のソケットに対して回転装着させる直管形ＬＥＤランプが多く発売されている。
【０００３】
直管形ＬＥＤランプは、直管形蛍光ランプと異なり、外郭の内部若しくは外郭に放熱用のヒートシンクや電子部品等の金属部品を備えるものが一般的である（例えば、特許文献１参照）。これら金属部品の多くは、直管形ＬＥＤランプの発光面の逆側で、円筒状の直管形ＬＥＤランプの中心軸から離れた位置に配置されている。そのため、直管形ＬＥＤランプは金属部品の影響で重心が中心軸からずれて偏心が生じている。偏心が生じていることで、装着時に直管形ＬＥＤの回転が不十分でソケットに確実に装着されていない場合やソケットの保持力が低下している場合に、経時変化や振動などの外的要因が加わることで、直管形ＬＥＤランプが意図せずに回転するおそれがある。そして、直管形ＬＥＤランプの不点灯やソケットからの落下につながるおそれがある。
【０００４】
装着時の回転不足に起因する直管形ＬＥＤランプの回転、落下を防止するためには、直管形ＬＥＤランプを正常な取り付け位置まで確実に回転させる必要がある。また、装着後の直管形ＬＥＤランプの回転を防止するためには、正常な取り付け状態になった直管形ＬＥＤランプをロックさせる必要がある。そこで、作業者に直管形ＬＥＤランプの取り付け状態を識別させるために、口金に目印を設けた直管形ＬＥＤランプが提案されている。また、口金に掛止部を設け、この掛止部が係合する被掛止部をソケットに設け、装着後に直管形ＬＥＤランプをロックする照明器具が提案されている（例えば、特許文献２参照）。
【先行技術文献】
【特許文献】
【０００５】
【特許文献１】特開２０１２−２１６３０３号公報
【特許文献２】特開２０１２−９３７９号公報
【発明の概要】
【発明が解決しようとする課題】
【０００６】
特許文献２の照明器具は、口金に鉤孔状の掛止部が形成され、ソケットに被掛止部が形成されている。そして、口金をソケットに回転装着させる際に掛止部が被掛止部に引っ掛かることで、直管形ＬＥＤランプが正常な取り付け状態になると共に、直管形ＬＥＤランプがロックされる。これにより、装着後の直管形ＬＥＤランプの回転が防止され、直管形ＬＥＤランプの不点灯や落下を防止している。
【０００７】
しかし、この回転防止機構（掛止部、被掛止部）は口金及びソケットに一体的に形成されていることから、ソケットの被掛止部が破損した場合にはソケット又は照明器具の本体ごと交換する必要があり作業時間が増加すると共に作業費用や部品代等が増加する。また、既存の被掛止部が形成されていないソケットには対応していないため、汎用性が低い。
【０００８】
本発明は、上記を鑑みなされたものであり、既存の照明器具のソケットに装着され、ソケットに対して正常な取り付け位置に容易に装着させることができると共に、装着後の回転を防止することが可能な直管形ＬＥＤランプを提供することを目的とする。
【課題を解決するための手段】
【０００９】
本発明に係る直管形ＬＥＤランプは、照明器具のソケットに装着される直管形ＬＥＤランプであって、ＬＥＤモジュールが内部に収容された円筒状の外郭と、外郭の端部に取り付けられ、外郭の軸線と直交する端面を有する円筒状の口金と、口金の端面に取り付けられ、ＬＥＤモジュールと電気的に接続された給電ピンと、口金の外周面から延在し、ソケットに形成された給電ピンが挿入される挿入部に嵌合するツメ部と、を備える。
【発明の効果】
【００１０】
本発明によれば、口金の外周面にツメ部が設けられているので、直管形ＬＥＤランプを照明器具のソケットに装着させた際に、ツメ部がソケットの挿入部に嵌合することで正常な取り付け位置になったことを容易に確認することができると共に、装着後の直管形ＬＥＤランプの回転を防止することが可能となる。そして、装着後の直管形ＬＥＤランプの回転を防止することで照明器具からの直管形ＬＥＤランプの落下を防止することができる。このツメ部は既存のソケットに形成された給電ピンが挿入される挿入部に嵌合するため、専用のソケットを設けることなく、直管形ＬＥＤランプの落下を防止することができる。
【図面の簡単な説明】
【００１１】
【図１】本発明の実施の形態１に係る直管形ＬＥＤランプを備えた照明器具を示す斜視図である。
【図２】本発明の実施の形態１に係る直管形ＬＥＤランプの口金が装着されるソケットを示す斜視図である。
【図３】本発明の実施の形態１に係る直管形ＬＥＤランプを示す斜視図であり、図３（ａ）は全体図、図３（ｂ）は給電側口金部分の拡大図である。
【図４】本発明の実施の形態１に係る直管形ＬＥＤランプの給電側口金部分を示す投影図であり、図４（ａ）は正面図、図４（ｂ）は側面図、図４（ｃ）は平面図、図４（ｄ）は底面図である。
【図５】図４（ａ）のＢ−Ｂ部の断面図である。
【図６】本発明の実施の形態１に係る直管形ＬＥＤランプと第一ソケットの接続関係を示す図である。
【図７】本発明の実施の形態１に係る直管形ＬＥＤランプが第一ソケットに回転装着される様子を示す図であり、図７（ａ）は挿入時（０度）、図７（ｂ）は回転途中（４５度）、図７（ｃ）は装着完了時（９０度）を示す図である。
【図８】本発明の実施の形態１に係る直管形ＬＥＤランプが第一ソケットに回転装着される際のツメ部の弾性変形の様子を示す図である。
【発明を実施するための形態】
【００１２】
以下、本発明の実施の形態を、図面に基づいて説明する。なお、以下に示す図面の形態によって本発明が限定されるものではない。また、各図において同一の構成には同一の符号を付している。
【００１３】
実施の形態１．
まず本実施の形態に係る直管形ＬＥＤランプ、その直管形ＬＥＤランプを備えた照明器具について図１〜３を用いて説明する。図１は実施の形態１に係る直管形ＬＥＤランプを備えた照明器具を示す斜視図である。図２は実施の形態１に係る直管形ＬＥＤランプの口金が装着されるソケットを示す斜視図である。図３は実施の形態１に係る直管形ＬＥＤランプを示す斜視図であり、図３（ａ）は全体図、図３（ｂ）は給電側口金部分の拡大図である。
【００１４】
図１に示すように、照明器具１は、天井に取り付けられるものであり、直管形ＬＥＤランプ２と、器具本体３と、反射板４とを備える。また、照明器具１は、直管形ＬＥＤランプ２に電力を供給する電源装置（図示せず）を備える。器具本体３は長手方向の一端側に第一ソケット５、他端側に第二ソケット６を有する。直管形ＬＥＤランプ２は、第一ソケット５と第二ソケット６によって両端を支持され、器具本体３に取り付けられる。電源装置は第一ソケット５と電気的に接続されており、第一ソケット５を介して直管形ＬＥＤランプ２に電力が供給される。反射板４は、直管形ＬＥＤランプ２から発せられる光を配光する機能を有する。
【００１５】
なお、図１には直管形ＬＥＤランプ２、第一ソケット５及び第二ソケット６をそれぞれ二つ備えた照明器具１を示したが、直管形ＬＥＤランプ２、第一ソケット５及び第二ソケット６をそれぞれ一つ備えた照明器具や、直管形ＬＥＤランプ２、第一ソケット５及び第二ソケット６をそれぞれ三つ以上備えた照明器具でもよい。また、図１には二つの直管形ＬＥＤランプ２が略平行となるように第一ソケット５と第二ソケット６を配置した照明器具１を示したが、第一ソケット５と第二ソケット６の配置箇所は直管形ＬＥＤランプ２が装着可能な範囲内で適宜変更してもよい。
【００１６】
図２に示すように、直管形ＬＥＤランプ２が装着される第一ソケット５は、本体７と、本体７内に回転自在に設けられた回転子８と、本体７内に設けられた内部金具（図示せず）と、を備える。本体７には、後述する直管形ＬＥＤランプ２の一対の給電ピン１５が挿入可能な挿入部９が形成されている。なお、図２には挿入部９を上側にした向きの第一ソケット５を示したが、図１に示した天井に取り付けられる照明器具１においては、第一ソケット５は挿入部９が下側となる向きで設けられている。
【００１７】
本体７、回転子８は、熱可塑性樹脂の絶縁材（例えば、ポリカーボネイト、ポリブチレンテレフタレート）で形成されている。本体７には挿入部９と連通する切り欠き部１０が形成されている。回転子８は、本体７の切り欠き部１０とほぼ同じ幅の切り欠きが形成された円筒形状をしている。また、回転子８には、本体７の表面よりも突出した二つの回転子凸部８ａ、８ｂが一体に形成されている。
【００１８】
図３（ａ）に示すように、直管形ＬＥＤランプ２は、外周面の一部が発光面となる円筒状の外郭１１と、外郭１１の一端を覆うように設けられた円筒状の第一口金１２と、外郭１１の他端を覆うように設けられた円筒状の第二口金１３と、を備える。また、外郭１１の内部には、光源であるＬＥＤを有するＬＥＤモジュール（図示せず）と、後述する放熱用のヒートシンク２６が配置されている。
【００１９】
第一口金１２、第二口金１３は、熱可塑性樹脂の絶縁材（例えば、ポリカーボネイト、ポリブチレンテレフタレート）で形成されている。第一口金１２は器具本体３の第一ソケット５に装着され、第二口金１３は器具本体３の第二ソケット６に装着される。外郭１１の内部に配置されたＬＥＤから放射された光は外郭１１を透過し、直管形ＬＥＤランプ２の外側に向けて放射される。ヒートシンク２６は、例えば長尺直線状のアルミニウム製であって、ＬＥＤモジュールに接触させた状態で配置され、ＬＥＤから生じた熱を放熱する効果がある。
【００２０】
図３（ｂ）に示すように、第一口金１２は、外郭１１の軸線と直交する端面１２ａを有する。この端面１２ａには、周囲よりも一段上がった凸部１４と、円形の開口を有する凹部１５が形成されている。また、凸部１４から一対の略Ｌ字形状の給電ピン１６が延在している。一対の給電ピン１６は、直管形ＬＥＤランプ２の軸方向と略平行に延びた矩形状の軸部１７と、軸部１７の先端から外方に延びる矩形状の抜け止め部１８を有する。給電ピン１６は外郭１１内に配置されたＬＥＤモジュールと電気的に接続されている。凹部１５には、第一口金１２と外郭１１内のヒートシンクとを固定するための貫通孔が形成されている。
【００２１】
図３（ｂ）中にＡで示す給電ピン１６の幅（例えば、３．８ｍｍ〜４．２ｍｍ）は、図２に示した第一ソケット５の挿入部９、切り欠き部１０の幅よりも小さく、給電ピン１６が挿入部９、切り欠き部１０に挿入可能となっている。第一口金１２が第一ソケット５に装着されると、給電ピン１６を介してＬＥＤモジュールと照明器具１の電源装置とが電気的に接続された状態となる。なお、このとき凸部１４は、第一ソケット５の二つの回転子凸部８ａ、８ｂ間に収まった状態となる。
【００２２】
第一口金１２の外周面１２ｂには、弾性変形可能なツメ部１９が形成されている。ツメ部１９は直管形ＬＥＤランプ２の発光面側となる部位に形成されている。ツメ部１９は、第一口金１２の端面１２ａ側の方向に、直管形ＬＥＤランプ２の軸線と略平行に延在している。つまり、ツメ部１９は給電ピン１６と同一の方向に、給電ピン１６と略平行に延在している。ツメ部１９は、先端部に凸部２０を有し、基端部を支点として直管形ＬＥＤランプ２の軸線と略直交する方向に弾性変形可能になっている。
【００２３】
なお、図示していないが、第二口金１３の端面には、第二ソケット６に挿入可能な支持ピンが設けられている。この支持ピンは直管形ＬＥＤランプ２（第二口金１３）を第二ソケット６に支持させるためのものであり、外郭１１の内部に配置されたＬＥＤモジュールとは電気的に接続されていない。また、第二口金１３の端面には、第一口金１２の凹部１５と同様のヒートシンク固定用の貫通孔が設けられている。
【００２４】
次に、直管形ＬＥＤランプ２の第一口金１２に形成されたツメ部１９について説明する。図４は実施の形態１に係る直管形ＬＥＤランプの給電側口金部分を示す投影図であり、図４（ａ）は正面図、図４（ｂ）は側面図、図４（ｃ）は平面図、図４（ｄ）は底面図である。図５は図４（ａ）のＢ−Ｂ部の断面図である。
【００２５】
図４、５に示すように、第一口金１２に形成されたツメ部１９は、給電ピン１６と同一の方向に、給電ピン１６と略平行に延在している。ツメ部１９は、先端部に凸部２０を有し、基端部を支点として直管形ＬＥＤランプ２の軸線と略直交する方向に弾性変形可能になっている。
【００２６】
ツメ部１９の凸部２０は、第一口金１２の内側方向（直管形ＬＥＤランプ２の軸線に向かう方向）に突出している。図４（ａ）中にＣで示す凸部２０の幅は、図３（ｂ）にＡで示す給電ピン１６の幅（例えば、３．８ｍｍ〜４．２ｍｍ）と同じ幅寸法、若しくは給電ピン１６の幅Ａよりも小さい幅寸法となっている。つまり、ツメ部１９の凸部２０は第一ソケット５の挿入部９に挿入可能な大きさである。
【００２７】
図４（ｄ）に示すように、ツメ部１９の凸部２０の内側（直管形ＬＥＤランプ２の軸線側）には、肉抜きされた肉抜き部２１が形成されている。凸部２０に肉抜き部２１を形成することで、凸部２０に応力がかかった際に内側（肉抜き部２１側）に変形して力を逃がし、ツメ部１９のねじれを緩和させることができる。肉抜き部２１を形成することでツメ部１９の耐久性を向上させることができる。
【００２８】
ツメ部１９は、凸部２０を有する先端部から外郭１１側に向かって、第一口金１２の外周面１２ｂから離れる方向に延在する解除レバー２２を有する。解除レバー２２は、第一ソケット５の挿入部９に嵌合したツメ部１９の凸部２０を挿入部９から外すための解除部である。解除レバー２２の略中央部にはツメ部１９の基端部に接続するリブ２３が設けられており、解除レバー２２の先端部を第一口金１２の外周面１２ｂ側に押すことで、ツメ部１９の基端部とリブ２３との接続部を支点としてツメ部１９が弾性変形し、ツメ部１９の先端部（凸部２０）が第一口金１２の外側方向（直管形ＬＥＤランプ２の軸線から離れる方向）に持ち上がる。
【００２９】
図４（ｂ）に示すように、解除レバー２２の裏面には、解除レバー２２の全長にわたって四角形状のリブ２４が形成されている。解除レバー２２の裏面にリブ２４を形成することで、解除レバー２２の強度を増すことができる。なお、リブ２４の形状は四角以外の形状でもよい。
【００３０】
図４（ｃ）に示すように、第一口金１２の外周面１２ｂには、ツメ部１９の基端部の両側部分にスリット２５が形成されている。スリット２５を形成することで、ツメ部１９の全長（図５中にＤで示す基端部から先端部までの長さ）が長くなり、スリット２５がない場合に比べて少ない力でツメ部１９を弾性変形させることが可能となる。
【００３１】
図４（ａ）、図５に示すように、第一口金１２の凹部１５には貫通孔１５ａが形成されている。また、外郭１１の内部に配置されたヒートシンク２６には、凹部１５の貫通孔１５ａと連通したネジ孔２６ａが形成されている。凹部１８の円形の開口からネジ２７が挿入され、貫通孔１５ａを介してヒートシンク２６のネジ孔２６ａにネジ留めされることによって、第一口金１２とヒートシンク２６とが固定されている。
【００３２】
次に、ツメ部１９を有する第一口金１２が第一ソケット５に回転装着されるまでの状態について説明する。図６は実施の形態１に係る直管形ＬＥＤランプと第一ソケットの接続関係を示す図である。図７は実施の形態１に係る直管形ＬＥＤランプが第一ソケットに回転装着される様子を示す図であり、図７（ａ）は挿入時（０度）、図７（ｂ）は回転途中（４５度）、図７（ｃ）は装着完了時（９０度）を示す図である。図８は実施の形態１に係る直管形ＬＥＤランプが第一ソケットに回転装着される際のツメ部の弾性変形の様子を示す図である。
【００３３】
図６に示すように、直管形ＬＥＤランプ２を第一ソケット５に装着させるには、第一口金１２の一対の給電ピン１６を第一ソケット５へ挿入させる（矢印Ｅ）。具体的には、第一口金１２の一対の給電ピン１６を一つずつ順に、第一ソケット５の挿入部９から挿入させ、一対の給電ピン１６が第一ソケット５の切り欠き部１０に収まる位置まで挿入させる。
【００３４】
一対の給電ピン１６の第一ソケット５への挿入時、ツメ部１９の凸部２０は、図７（ａ）に示すように、第一ソケット５の本体７の側方に位置する。このように、挿入時にはツメ部１９の凸部２０が第一ソケット５の本体７に干渉しないので、一対の給電ピン１６の第一ソケット５への挿入を容易に行うことができる。このとき、ツメ部１９と本体７は干渉していないため、ツメ部１９には応力がかかっていない。つまり、ツメ部１９は弾性変形していない状態である。
【００３５】
その後、図７（ｂ）に示すように、第一ソケット５に挿入された第一口金１２を回転させる（矢印Ｆ）。具体的には、ツメ部１９の凸部２０が第一ソケット５の挿入部９に向かう方向に、第一口金１２又は外郭１１を回転させる。このとき、ツメ部１９の凸部２０は第一ソケット５の本体７側面に接触しながら移動するため、ツメ部１９には応力がかかっている。つまり、ツメ部１９が第一口金１２の外側方向（直管形ＬＥＤランプ２の軸線から離れる方向）に弾性変形しながら回転している状態である。
【００３６】
そして、図７（ｃ）に示すように、ツメ部１９の凸部２０が第一ソケット５の挿入部９に嵌合するまで回転させる。つまり、図７（ａ）に示した状態から第一口金１２を９０度回転させた状態である。凸部２０が挿入部９に嵌合することで、第一口金１２の第一ソケット５への装着が完了し、直管形ＬＥＤランプ２が正常な取り付け位置となる。そして、第一口金１２の一対の給電ピン１６と第一ソケット５の内部金具とが電気的に接続されると共に、第一口金１２（直管形ＬＥＤランプ２）が第一ソケット５に対してロックされた状態となる。このとき、ツメ部１９の凸部２０は第一ソケット５の挿入部９に嵌まることで、ツメ部１９にかかっていた応力は解除され、ツメ部１９の弾性変形も解除される。
【００３７】
図８に示すように、回転装着時に弾性変形しているツメ部１９（実線で示すツメ部１９ａ）には常に元の形状に戻ろうとする力が働いている。そして、ツメ部１９の凸部２０が第一ソケット５の挿入部９に到達した瞬間に、凸部２０が挿入部９に嵌まりツメ部１９からその力が一気に解放される。これによりクリック感が得られる。クリック感があることで、作業者が正常な取り付け位置まで回転したことを認識しやすくなる。なお、図８に破線で示すツメ部１９ｂは、弾性変形していない状態（凸部２０が挿入部９に嵌まった状態）のツメ部１９を表している。
【００３８】
回転装着中、ツメ部１９と第一ソケット５の本体７の間には摩擦力が生じているため、回転トルクが強くなるが、ツメ部１９が弾性変形することで回転に支障がない程度の回転トルクとすることができる。また、ツメ部１９の凸部２０は、図４に示したように肉抜きされた形状（肉抜き部２１）をしており、肉抜き部２１を設けることで第一ソケット５の本体７との接触面積を小さくすることができ、回転時の摩擦力をより軽減させることが可能となる。
【００３９】
次に、第一ソケット５に回転装着された第一口金１２（直管形ＬＥＤランプ２）を第一ソケット５から取り外す方法を説明する。まず、ツメ部１９の解除レバー２２を第一口金１２の外周面１２ｂ側に押し、ツメ部１９を弾性変形させて凸部２０を持ち上げ、ロックを解除する。そして、その状態で第一口金１２（直管形ＬＥＤランプ２）を９０度回転させる。９０度回転させると、第一ソケット５の挿入部９から第一口金１２の一対の給電ピン１６を抜き出すことが可能となり、第一口金１２を第一ソケット５から取り外す。このように、解除レバー２２を操作することで第一ソケット５とのロックを容易に解除することができる。
【００４０】
以上のように、第一口金１２にツメ部１９を設けることで、第一ソケット５に装着させた第一口金１２（直管形ＬＥＤランプ２）をロックすることができ、装着後の直管形ＬＥＤランプ２の回転を防止することができる。また、ツメ部１９は第一口金１２の外周面１２ｂに設けられているので、照明器具１への取り付け作業時に、ツメ部１９の位置を確認することによって、直管形ＬＥＤランプ２が正常な取り付け位置まで回転したかを容易に確認することができる。さらに、ツメ部１９は直管形ＬＥＤランプ２の発光面側に位置しているため、直管形ＬＥＤランプ２が誤った向きで装着されることを防止することができると共に、天井などに設けられた照明器具１に取り付けられた直管形ＬＥＤランプ２が正常な取り付け状態になっているかを目視で容易に確認することができる。
【００４１】
このように、直管形ＬＥＤランプ２が中途半端な取り付け状態になることを回避し、正常な取り付け状態にすることで、照明器具１からの直管形ＬＥＤランプ２の落下を防止することができる。また、直管形ＬＥＤランプ２を正常な取り付け状態にすることで、第一口金１２の給電ピン１６と第一ソケット５の内部金具とを確実に接触させることができるため、給電ピン１６と内部金具の微接触による発熱や発火を防止することができる。
【００４２】
また、第一口金１２のツメ部１９は弾性変形可能であり、せん断力がかかりにくいため、ロックとロック解除を複数回行うことができ、長期にわたり使用することができる。
【００４３】
さらに、第一口金１２のツメ部１９の凸部２０は、既存の照明器具１のソケット（第一ソケット５）に形成された給電ピン１６が挿入される挿入部９に嵌合可能なため、専用のソケット又は専用のソケットを備えた照明器具を新たに用意する必要はない。万が一、ツメ部１９が破損した場合には、通常のランプ交換と同様に直管形ＬＥＤランプ２のみを交換すればよく、作業時間および作業費用や部品代を抑えることができる。
【００４４】
なお、実施の形態１では、ツメ部１９によるロックを解除する解除部として解除レバー２２を備えたツメ部１９を示したが、解除部の形状はこれに限定されずに、ツメ部１９を弾性変形させて先端部（凸部２０）を第一ソケット５の挿入部９から外すことが可能な解除部であればよい。例えば、ツメ部１９の先端部に、第一ソケット５の挿入部９に嵌合されない凸部を形成し、この凸部を第一口金１２の外側方向（直管形ＬＥＤランプ２の軸線から離れる方向）に押し込むことで、ツメ部１９を弾性変形させて凸部２０を挿入部９から外すようにした解除部でもよい。
【符号の説明】
【００４５】
１  照明器具、２  直管形ＬＥＤランプ、３  器具本体、４  反射板、５  第一ソケット、６  第二ソケット、７  本体、８  回転子、９  挿入部、１０  切り欠き部、１１  外郭、１２  第一口金、１３  第二口金、１４  凸部、１５  凹部、１６  給電ピン、１７  軸部、１８  抜け止め部、１９  ツメ部、２０  凸部、２１  肉抜き部、２２  解除レバー（解除部）、２３  リブ、２４  リブ、２５  スリット、２６  ヒートシンク、２７  ネジ。
【図１】
2016173881.tif 000003
【図２】
2016173881.tif 000004
【図３】
2016173881.tif 000005
【図４】
2016173881.tif 000006
【図５】
2016173881.tif 000007
【図６】
2016173881.tif 000008
【図７】
2016173881.tif 000009
【図８】
2016173881.tif 000010